(57)【要約】      （修正有）【課題】ＷＥＢサイトのプログラム知識がなくても容易にＷＥＢ上でコミュニティ機能を利用することができ、クリエイターと一般ユーザー若しくは一般ユーザー同士で交流を深められ、また、さまざまなWEBサイトでコメント機能を利用することでＷＥＢサイト間（ＵＲＬ間）を越えてコメントを共有できるようにする。【解決手段】コミュニティを提供する技術的ノウハウである、サーバ環境に一切干渉しないｊａｖａｓｃｒｉｐｔ（登録商標）のみで動くプログラム、をクリエイターや一般ユーザーに対してクラウドコンピューティングにより提供する。【選択図】図１
2012128569.tif 000002
【特許請求の範囲】
【請求項１】
ありとあらゆるコンテンツに対して、共有コメントフォームを設けられることを特徴とするＷＥＢシステム（仮称「ソーシャルトーク」：株式会社ＨＡＲＭＯＮＹの造語）。
【請求項２】
前記WEBシステム内においてクラウドコンピューティング（ネットワーク、特にインターネットをベースとしたコンピュータの利用形態）を利用したユーザーのサーバ環境に一切干渉しないjavascript（プログラミング言語の１種）のみで動くことを特徴とする請求項１記載のWEBシステム。
【請求項３】
前記WEBシステムにおいて簡単に導入サイトにコミュニティ機能を付与しソーシャル化できることを特徴とする請求項１記載のWEBシステム。
【請求項４】
前記WEBシステムにおいてユーザーの環境はInternet Explorer （マイクロソフト社登録商標）7.0以降とjavascriptの許可のみを特徴とする請求項１記載のWEBシステム。
【請求項５】
前記WEBシステムにおいてjavascriptタグを1個だけソーシャル機能を付与したいWEBページへ貼り付けることを特徴とする請求項１記載のWEBシステム。
【請求項６】
前記WEBシステムにおいてメインCMS（Content Management Systemは、WEBコンテンツを構成するテキストや画像などのデジタルコンテンツを統合・体系的に管理し、配信など必要な処理を行うシステムの総称。）部分は非ASP（Application Service Providerとは、アプリケーションサービスを提供する組織（事業者）、機構、サーバのこと。）でローカル（デスクトップ上）でも動作することを特徴とする請求項１記載のWEBシステム。
【請求項７】
前記WEBシステムにおいてメインCMSがローカルでも動作するのでソーシャルトークサーバへHTMLをアップロードしたり画像をアップロードしたりという煩わしいアップ作業が一切不要であることを特徴とする請求項１記載のWEBシステム。
【請求項８】
前記WEBシステムにおいてユーザーはインターネットにさえ繋がっていればローカルでもソーシャルトーク機能を利用しながら自分のホームページを編集することができることを特徴とする請求項１記載のWEBシステム。
【請求項９】
前記WEBシステムにおいて登録者（大元ユーザ）はソーシャルトーク機能を維持したまま世界各所にコピー＆ペーストされた場合に、様々なところからコメントをもらうことができ、それらのコメントはソーシャルトーク管理画面から一覧でき、管理することができることを特徴とする請求項１記載のWEBシステム。
【請求項１０】
前記WEBシステムにおいて様々なところから得られるコメントには様々な付随データが存在し、それは「いつ」「だれが」「どのように」「どこから」「なにを」というレベルで把握できることを特徴とする請求項１記載のWEBシステム。
【発明の詳細な説明】
【技術分野】
【０００１】
本発明は、インターネットにおけるWEBシステムに関する。
【背景技術】
【０００２】
インターネット上で行うクリエイティブな製作において現状では企業・個人に限らず一方的な配信のみが主流となっており、クリエイターと一般ユーザーの交流があまりなく、交流がある場合でも単体のWEBサイトの中でのみ行われていることが多い。
【発明の開示】
【発明が解決しようとする課題】
【０００３】
従来一般ユーザーは特定のWEBサイトでのみクリエイターの作品情報だけを得ることができ、クリエイターと一般ユーザー、一般ユーザーと一般ユーザーとの交流はほとんどなく、通常のクリエイターにはWEBサイト内において交流の場（コミュニティ）を提供する
技術的ノウハウがない。
【課題を解決するための手段】
【０００４】
上記課題を解決するために本システム「ソーシャルトーク」は、コミュニティを提供する技術的ノウハウをクリエイターや一般ユーザーに対してサーバ環境に一切干渉しないjavascriptのみで動くプログラムをクラウドコンピューティングにより提供することで、クリエイターと一般ユーザー、一般ユーザー同士の交流の場（コミュニティ）を容易に提供できるようにする。
【発明の効果】
【０００５】
WEBサイトのプログラム知識がなくても容易にWEB上でコミュニティ機能を利用することができるようになり、クリエイターと一般ユーザー若しくは一般ユーザー同士で交流を深めることができる。また、さまざまなWEBサイトでコメント機能を利用することでWEBサイト間（URL間）を越えてコメントを共有することができる。
【図面の簡単な説明】
【０００６】
【図１】実施例１の図である。
【発明を実施するための形態】
【０００７】
ブラウザはInternet Explorer 7.0あるいは8.0（ともにマイクロソフト社登録商標）若しくはFirefox3（Mozilla社登録商標）以降及びjavascript（Sun Microsystems社登録商標）が必要である。
以下、本発明の実施の形態として実施例を図１に基づいて説明する。
【実施例１】
【０００８】
図１において、一般閲覧者A：まだファンでもリスナーでもないただの閲覧者だが、たまたまポータルで音楽を聴き、良いと思ってポータルでコメントをすると個人ホームページにも反映される。
ファンユーザA：昔からファンで個人ホームページへ訪れて新曲が出るたびにコメントを掲示板に書いていたが、ソーシャルトーク導入により楽曲単位でコメントを残せる。そしてこのコメントはポータルでも表示される。
ファンユーザB：昔からファンだが、ポータルでランキングを見ていたら偶然そのアーティストの曲が1位になっているのを目撃、感動してポータルからコメントを書き込む。そしてこのコメントは個人ホームページにも反映される。
クリエイターユーザ：ソーシャルトークユーザであり、音楽クリエイターでもある彼は、既存楽曲もこれからの新曲もソーシャルトーク管理画面へ楽曲IDを登録し、そしてこれまで技術力不足で（当然）個人ホームページとして楽曲単位にコメント機能をつけることなど出来るわけもなくファンとの交流や感想はすべて掲示板のみで受け付けていたが、ソーシャルトークを利用することで楽曲単位にコメント機能を付与することができ、楽曲単位でコメントを書き込んでもらうことが可能になる。また、これまでに書き込まれたコメントデータはすべて、ソーシャルトーク管理画面から管理閲覧することができる。そして、登録された楽曲はポータルでも掲載され、ポータルから受けたコメントと個人ホームページから受けたコメントは共有され1箇所にあつまり、どちらからでもどちらにも両方から受けたコメントをまとめて表示することが可能となり、個人ホームページの運営を維持したまま、ソーシャル機能を付与でき、さらなるファンの獲得をも実現することが可能になる。
【図１】
2012128569.tif 000003